(57)【要約】【課題】本発明は、薄型家具を壁に固定することによって、地震災害等による家具の転倒が防止できる多目的利用可能な超薄型壁固定家具を提供する。【解決手段】家具の固定枠Aを形成する枠部材1の側面に、溝2を設けた4枚の固定枠部材3と添え板4を用いて枠状に組固定して、上枠に複数の吊り金物5をビス固定して成る家具の固定枠A、該家具の固定枠Aを床から間隔を設けて、枠部材1の側面に設けた溝2から固定ビス7で躯体壁6に固定してクッションゴム8で埋め貼りをする。該家具の固定枠Aに家具の固定枠Aに準じた家具の固定枠に幕板9を貼って成る家具の扉枠B、該家具の扉枠Bを家具の固定枠Aに丁番金物10で固定して成る超薄型壁固定家具C、該超薄型壁固定家具Cを構成する家具の固定枠Aと家具の扉枠Bの吊り金物5に、有孔ボード11を吊るして多目的に利用することを特徴とする多目的利用可能な超薄型壁固定家具。【選択図】  図1
2019052457.tif 000002
【特許請求の範囲】
【請求項１】
多目的利用可能な超薄型壁固定家具であって、家具の固定枠を形成する枠部材の側面に、溝を設けた4枚の固定枠部材と添え板を用いて枠状に組固定して、上枠に複数の吊り金物をビス固定して成る家具の固定枠、該家具の固定枠を床から間隔を設けて、枠部材の側面に設けた溝から固定ビスで躯体壁に固定してクッションゴムで埋め貼りをする。該家具の固定枠に家具の固定枠に準じた家具の固定枠に幕板を貼って成る家具の扉枠、該家具の扉枠を家具の固定枠に丁番金物で固定して成る超薄型壁固定家具、該超薄型壁固定家具を構成する家具の固定枠と家具の扉枠の吊り金物に、有孔ボードを吊るして多目的に利用することを特徴とする多目的利用可能な超薄型壁固定家具。
【請求項２】
前記、家具の固定枠を床から間隔を設けて、枠部材の側面に設けた溝から固定ビスで躯体壁に固定してクッションゴムで埋め貼りをする。該家具の固定枠に家具の固定枠に準じた家具の固定枠に幕板を貼って成る家具の扉枠、該家具の扉枠を家具の固定枠に丁番金物で固定して成る超薄型壁固定家具、該超薄型壁固定家具を二段重ねに連結することを特徴とする請求項１に記載の多目的利用可能な超薄型壁固定家具。
【発明の詳細な説明】
【技術分野】
【０００１】
本発明は、生活空間の収納を担っている収納家具の多目的利用可能な超薄型壁固定家具に関する。
【背景技術】
【０００２】
従来、生活空間の収納を担っているのは独立した設置型の収納家具が主流である。
【０００３】
その設置型の収納家具は多種多様な生活用品を収納するために、必要としている場所に設置して生活用品が収納されている。
【先行技術文献】
【特許文献】
【０００４】
【特許文献１】無し
【０００５】
【非特許文献１】無し
【発明の開示】
【発明が解決しようとする課題】
【０００６】
従来の設置型の収納家具には次の問題があった。
〇従来の収納家具は地震による転倒事故を防止するための強固な固定が課題であった。
〇従来の収納家具は収納目的に合わせた家具のため種類が多く広い面積を必要とした。
〇従来の収納家具は様々な生活用品を迅速に収納して取出して使うには不便であった。
【０００７】
収納家具の使命は、衣服を含めて日常生活の多種多様な生活用品を迅速に収納して、必要時に取出して使う整理整頓が主たる目的であるが、現代の生活事情と住宅の個室化によって、部屋の面積が狭くなり従来の収納家具では対応が困難になっている。さらに、従来の設置型の収納家具は設置場所の問題や埃が溜まる隙間の問題は大きな課題であった。
【０００８】
本発明は、上記の課題に鑑みて、収納家具の設置場所問題や設置に伴う隙間の埃溜まり問題などが解決できる、多目的利用可能な超薄型壁固定家具を提供するものである。
【課題を解決するための手段】
【０００９】
この発明は、上記の課題を解決するためになされたもので、家具の固定枠を形成する枠部材の側面に、溝を設けた4枚の固定枠部材と添え板を用いて枠状に組固定して、上枠に複数の吊り金物をビス固定して成る家具の固定枠、該家具の固定枠を床から間隔を設けて、枠部材の側面に設けた溝から固定ビスで躯体壁に固定してクッションゴムで埋め貼りをする。該家具の固定枠に家具の固定枠に準じた家具の固定枠に幕板を貼って成る家具の扉枠、該家具の扉枠を家具の固定枠に丁番金物で固定して成る超薄型壁固定家具、該超薄型壁固定家具を構成する家具の固定枠と家具の扉枠の吊り金物に、有孔ボードを吊るして多目的に利用することを特徴とする多目的利用可能な超薄型壁固定家具（請求項１）を提供する。
【００１０】
前記、家具の固定枠を床から間隔を設けて、枠部材の側面に設けた溝から固定ビスで躯体壁に固定してクッションゴムで埋め貼りをする。該家具の固定枠に家具の固定枠に準じた家具の固定枠に幕板を貼って成る家具の扉枠、該家具の扉枠を家具の固定枠に丁番金物で固定して成る超薄型壁固定家具、該超薄型壁固定家具を二段重ねに連結することを特徴とする請求項１に記載の多目的利用可能な超薄型壁固定家具（請求項２）を提供する。
【発明の効果】
【００１１】
本発明の特筆すべき大きな効果を列挙する。
イ）薄型家具を壁に固定することによって地震災害等による家具の転倒が防止できる。
ロ）薄型家具を壁に固定することによって狭い部屋のスペースを有効に活用ができる。
ハ）薄型家具を床から透かして壁に固定することでロボット掃除機時代に対応できる。
二）多目的利用可能な薄型家具にすることで多種多様な生活用品が迅速に収納できる。
【００１２】
以上で説明したように、請求項１に係る発明によれば、家具の固定枠を形成する枠部材の側面に、溝を設けた4枚の固定枠部材と添え板を用いて枠状に組固定して、上枠に複数の吊り金物をビス固定して成る家具の固定枠、該家具の固定枠を床から間隔を設けて、枠部材の側面に設けた溝から固定ビスで躯体壁に固定してクッションゴムで埋め貼りをする。該家具の固定枠に家具の固定枠に準じた家具の固定枠に幕板を貼って成る家具の扉枠、該家具の扉枠を家具の固定枠に丁番金物で固定して成る超薄型壁固定家具、該超薄型壁固定家具を構成する家具の固定枠と家具の扉枠の吊り金物に、有孔ボードを吊るして多目的に利用することを特徴とする多目的利用可能な超薄型壁固定家具にすることで、災害に強く多種多様な生活用品が迅速に収納できる効果は大きい。
【００１３】
請求項２に係る発明によれば、前記、家具の固定枠を床から間隔を設けて、枠部材の側面に設けた溝から固定ビスで躯体壁に固定してクッションゴムで埋め貼りをする。該家具の固定枠に家具の固定枠に準じた家具の固定枠に幕板を貼って成る家具の扉枠、該家具の扉枠を家具の固定枠に丁番金物で固定して成る超薄型壁固定家具、該超薄型壁固定家具を二段重ねに連結することで、収納容量を増やせる効果が得られる。
【発明を実施するための最良の形態】
【００１４】
以下に、本発明の実施形態は添付図面を参照しつつ詳細に説明する。
【００１５】
図１は、本発明に係る壁に固定した超薄型壁固定家具の鳥観図。図２は、壁に固定した超薄型壁固定家具の側面図。図３は、図2の断面図。図4は、超薄型壁固定家具の家具の扉枠を開いた姿図。図5は、図4の横断面図。図6は、図3のA部の拡大断面図、図6は、超薄型壁固定家具を2段重ねにした姿図である。
【００１６】
本発明の実施形態を図面で説明すれば、図１は、壁に固定した超薄型壁固定家具の鳥観図である。
【００１７】
図２は、壁に固定した超薄型壁固定家具の側面図である。
【００１８】
図３は、家具の固定枠Aを形成する枠部材1の側面に、溝2を設けた4枚の固定枠部材3と添え板4を用いて枠状に組固定して、上枠に複数の吊り金物5をビス固定して成る家具の固定枠A、該家具の固定枠Aを床から間隔を設けて、枠部材1の側面に設けた溝2から固定ビス7で躯体壁6に固定してクッションゴム8で埋め貼りをする。該家具の固定枠Aに家具の固定枠Aに準じた家具の固定枠に幕板9を貼って成る家具の扉枠B、該家具の扉枠Bを家具の固定枠Aに丁番金物10で固定して成る超薄型壁固定家具C、該超薄型壁固定家具Cを構成する家具の固定枠Aと家具の扉枠Bの吊り金物5に、有孔ボード11を吊るして多目的に利用することを特徴とする多目的利用可能な超薄型壁固定家具の図2の断面図である
【００１９】
図４は、超薄型壁固定家具の家具の扉枠を開いた姿図である。
【００２０】
図5は、図4の横断面図である。
【００２１】
図6は、図3のA部の拡大断面図である。  
【００２２】
図7は、超薄型壁固定家具を2段重ねにした姿図である。
【００２３】
以上、図面について説明したが、本発明は、従来の設置型の収納家具の問題点を解決して、多種多様な生活用品を迅速に整理整頓収納することを目的としたものである。
【実施例１】
【００２４】
図１と図3を参照に、家具の固定枠Aを形成する30ｍｍ×90ｍｍの枠部材1の側面に、深さ3ｍｍの溝2を設けた4枚の固定枠部材3と2枚の12ｍｍ×156ｍｍの添え板4を用いて枠状に組固定して、上枠に6個の吊り金物5をビス固定して成る家具の固定枠A、該家具の固定枠Aを床から150ｍｍ程度の間隔を設けて、枠部材1の側面に設けた溝2から固定ビス7で躯体壁6に固定してクッションゴム8で埋め貼りをする。該家具の固定枠Aに家具の固定枠Aに準じた30ｍｍ×48ｍｍの固定枠に12ｍｍ厚の幕板9を貼った2枚の家具の扉枠Bそれぞれに1個の吊り金物5をビス固定して、家具の扉枠Bにも収納の機能を持たせて成る家具の扉枠B、該家具の扉枠Bを家具の固定枠Aに丁番金物10で固定して成る超薄型壁固定家具C、該超薄型壁固定家具Cを構成する家具の固定枠Aと家具の扉枠Bの吊り金物5に、有孔ボード11を吊るして多目的に利用する多目的利用可能な超薄型壁固定家具とした。
【実施例２】
【００２５】
実施例１の多目的利用可能な超薄型壁固定家具を、二段重ねに連結することで収納量を倍増させることも可能である。
【００２６】
なお、この発明において、実施例や図面に示した扉の両開は片開でもよく、寸法や各部材についても一例を示したものであり、同様の機能を果たす公知の他の寸法部材に置き換えることは可能であり、寸法や板厚などは自由に設定し発明を支障なく実施することができるものである。
【産業上の利用可能性】
【００２７】
本発明に於いて、多目的利用可能な超薄型壁固定家具は、スペースの有効活用やロボット掃除機時代の対応、さらに、多種多様な生活用品が迅速に収納できることから、新旧の住宅に関係なく日常生活の収納効率が改善できます。他方、薄型家具を壁に固定することによって、地震災害等による家具の転倒が防止できることは、災害が多発する我国の防災に大きく貢献ができる。
【図面の簡単な説明】
【００２８】
【図１】本発明に係る壁に固定した超薄型壁固定家具の鳥観図。
【図２】壁に固定した超薄型壁固定家具の側面図。
【図３】図2の断面図。
【図４】超薄型壁固定家具の家具の扉枠を開いた姿図。
【図５】図4の横断面図。
【図６】図3のA部の拡大断面図。
【図７】超薄型壁固定家具を2段重ねにした姿図。
【符号の説明】
【００２９】
・  枠部材
・  溝
・  固定枠部材
・  添え板
・  吊り金物
・  躯体壁
・  固定ビス
・  クッションゴム
・  幕板
・  丁番金物
・  有孔ボード
・  床
A  家具の固定枠
B  家具の扉枠
C  超薄型壁固定家具
【図１】
2019052457.tif 000003
【図２】
2019052457.tif 000004
【図３】
2019052457.tif 000005
【図４】
2019052457.tif 000006
【図５】
2019052457.tif 000007
【図６】
2019052457.tif 000008
【図７】
2019052457.tif 000009